(57)【要約】【課題】外装体が腹側外装体と背側外装体とに分割されているパンツ型吸収性物品及びパッドホルダーにおいて、着用状態での通気性及び透湿性が良好になり、また着用状態での外観が良好になるパンツ型吸収性物品及びパッドホルダーを提供すること。【解決手段】パンツ型吸収性物品１は、腹側外装体２Ａと、背側外装体２Ｂと、これらの間を架け渡すように固定された吸収性本体３とを具備する。腹側外装体２Ａは、外表面を形成する外層シート２２及びこれよりも内側に位置する内層シート２３を有している。腹側外装体２Ａは、上腹部領域Ａ２及び下腹部領域Ａ３を有し、下腹部領域Ａ３は上腹部領域Ａ２よりも股部側に位置している。上腹部領域Ａ２においては、外層シート２２と内層シート２３との間が非接合状態となっており、かつ上腹部弾性部材７１が横方向Ｘに延びて内層シート２３に固定されている。【選択図】図１
2013198728.tif 000002
【特許請求の範囲】
【請求項１】
着用者の腹側に配される腹側外装体と、着用者の背側に配される背側外装体と、該腹側外装体と該背側外装体との間を架け渡すようにこれらの外装体に固定された吸収性本体とを具備し、該腹側外装体及び該背側外装体の縦方向に沿う両側縁部に該腹側外装体と該背側外装体とを接合して形成されたサイドシール部を有し、これにより構成された環状外装部を備えるパンツ型吸収性物品であって、
前記腹側外装体は、外表面を形成する外層シート及び該外層シートよりも内側に位置する内層シートを有しており、
前記腹側外装体は、上腹部領域及び下腹部領域を有し、該下腹部領域は該上腹部領域よりも股部側に位置しており、
前記上腹部領域においては、前記外層シートと前記内層シートとの間が非接合状態となっており、かつ上腹部弾性部材が横方向に延びて前記内層シートに固定されている、パンツ型吸収性物品。
【請求項２】
前記下腹部領域においては、下腹部弾性部材が横方向に延びて前記外層シート又は前記内層シートに固定されている請求項１に記載のパンツ型吸収性物品。
【請求項３】
前記背側外装体は、外表面を形成する外層シート及び該外層シートよりも内側に位置する内層シートを有しており、
前記背側外装体は、上背部領域及び下背部領域を有し、該下背部領域は該上背部領域よりも股部側に位置しており、
前記上背部領域においては、 前記外層シートと前記内層シートとの間が非接合状態となっており、かつ上背部弾性部材が、横方向に延びて前記内層シートに固定されている請求項１又は２に記載のパンツ型吸収性物品。
【請求項４】
前記下背部領域においては、下背部弾性部材が、横方向に延びて前記外層シート又は前記内層シートに固定されている請求項３に記載のパンツ型吸収性物品。
【請求項５】
前記上腹部領域又は前記上背部領域が、着用者の腸骨稜から上前腸骨棘にかけての部位に当接するように着用される請求項３又は４に記載のパンツ型吸収性物品。
【請求項６】
前記吸収性本体は、その外面側において、前記腹側外装体及び前記背側外装体の内面に固定されている請求項１ないし５のいずれか一項に記載のパンツ型吸収性物品。
【請求項７】
前記吸収性本体は、その内面側において、前記腹側外装体及び前記背側外装体の外面に固定されている請求項１ないし５のいずれか一項に記載のパンツ型吸収性物品。
【請求項８】
前記上腹部弾性部材よりも前記下腹部弾性部材の方が細く、かつ本数が多い請求項２に記載のパンツ型吸収性物品。
【請求項９】
前記上背部弾性部材よりも前記下背部弾性部材の方が細く、かつ本数が多い請求項４に記載のパンツ型吸収性物品。
【請求項１０】
着用者の腹側に配される腹側部と、着用者の背側に配される背側部とを具備し、該腹側部及び該背側部の縦方向に沿う両側縁部に、該腹側部と該背側部とを接合して形成されたサイドシール部を有する環状ベルトからなり、
前記腹側部と前記背側部との間を架け渡すように吸収性パッドが固定可能になっているパッドホルダーであって、
前記腹側部及び前記背側部には、前記吸収性パッドを取り付けるための取り付け手段が設けられており、
前記腹側部は、外表面を形成する外層シート及び該外層シートよりも内側に位置する内層シートを有しており、
前記腹側部は、上腹部領域及び下腹部領域を有し、該下腹部領域は該上腹部領域よりも股部側に位置しており、
前記上腹部領域においては、前記外層シートと前記内層シートとの間が非接合状態となっており、かつ上腹部弾性部材が横方向に延びて前記内層シートに固定されている、パッドホルダー。
【請求項１１】
前記下腹部領域においては、下腹部弾性部材が横方向に延びて前記外層シート又は前記内層シートに固定されている請求項１０に記載のパッドホルダー。
【請求項１２】
前記背側部は、上背部領域及び下背部領域を有し、該下背部領域は該上背部領域よりも股部側に位置しており、
前記上腹部領域又は前記上背部領域が、着用者の腸骨稜から上前腸骨棘にかけての部位に当接するように着用される請求項１０又は１１に記載のパッドホルダー。
【請求項１３】
前記上腹部弾性部材よりも前記下腹部弾性部材の方が細く、かつ本数が多い請求項１１に記載のパッドホルダー。
【請求項１４】
前記背側部は、外表面を形成する外層シート及び該外層シートよりも内側に位置する内層シートを有しており、
前記上背部領域においては、上背部弾性部材が、横方向に延びて前記内層シートに固定されており、
前記下背部領域においては、下背部弾性部材が、横方向に延びて前記外層シート又は前記内層シートに固定されており、
前記上背部弾性部材よりも前記下背部弾性部材の方が細く、かつ本数が多い請求項１２に記載のパッドホルダー。
【発明の詳細な説明】
【技術分野】
【０００１】
本発明は、パンツ型吸収性物品に関する。また本発明は、吸収性パッドの保持に用いられる環状ベルト状のパッドホルダーに関する。
【背景技術】
【０００２】
従来、パンツ型の使い捨ておむつにおいて、胴回り部に配する胴回り部弾性部材をおむつの外表面を形成する最外層シート以外の部材に固定し、その胴回り弾性部材と最外層シートとの間に非接合領域を設けることによって、最外層シートの内方にギャザーを形成する一方、胴回り部の外表面にはギャザーが形成されないようにする技術が知られている（特許文献１参照）。この種のパンツ型の使い捨ておむつには胴回り部の外表面にギャザーが形成されていないので、すっきりとした外観を呈するという利点がある。このようなパンツ型使い捨ておむつを連続生産する際には、最外層シートを含む外装体の帯状原反にレッグ開口部形成用の貫通孔や切り欠きを形成し、不要な部分をトリムとして除去するのが一般的である。
【０００３】
このようなパンツ型使い捨ておむつとは別に、外装体が着用者の腹側に配される腹側外装体と着用者の背側に配される背側外装体とに分割されており、吸収性本体が腹側外装体及び背側外装体に架け渡すように固定されているとともに、腹側外装体の左右の両側縁部と背側外装体の左右両側縁部とが接合されているパンツ型使い捨ておむつも知られている（例えば特許文献２及び３参照）。このおむつによれば、特許文献１に記載のおむつと異なり、外装体の原反からトリムを除去することが不要となり、また除去すべきトリムの量を低減することができる。
【先行技術文献】
【特許文献】
【０００４】
【特許文献１】特開平１１−４８５３号公報
【特許文献２】国際公開第２００４／０５４４９０号パンフレット
【特許文献３】特開２０１０−２３３９２７号公報
【発明の概要】
【発明が解決しようとする課題】
【０００５】
特許文献２及び３のおむつの外装体は、２枚のシート材料間に糸ゴム等の弾性部材を伸長状態下に貼り付けて構成されているのが一般的なので、下着様の外観を呈するものとはならない。
したがって本発明の課題は、外装体が腹側外装体と背側外装体とに分割されていながら、着用時にすっきりとした外観と柔らかい印象を備え、かつ、通気性と透湿性を良好に発揮し得るパンツ型吸収性物品に関する。
【課題を解決するための手段】
【０００６】
本発明は、着用者の腹側に配される腹側外装体と、着用者の背側に配される背側外装体と、該腹側外装体と該背側外装体との間を架け渡すようにこれらの外装体に固定された吸収性本体とを具備し、該腹側外装体及び該背側外装体の縦方向に沿う両側縁部に、該腹側外装体と該背側外装体とを接合して形成されたサイドシール部を有し、これによって構成された環状外装部を備えたパンツ型吸収性物品であって、前記腹側外装体は、外表面を形成する外層シート及び該外層シートよりも内側に位置する内層シートを有しており、前記腹側外装体は、上腹部領域及び下腹部領域を有し、該下腹部領域は該上腹部領域よりも股部側に位置しており、前記上腹部領域においては、前記外層シートと前記内層シートとの間が非接合状態となっており、かつ上腹部弾性部材が横方向に延びて前記内層シートに固定されている、パンツ型吸収性物品を提供するものである。
【０００７】
また本発明は、着用者の腹側に配される腹側部と、着用者の背側に配される背側部とを具備し、該腹側部及び該背側部の縦方向に沿う両側縁部に、該腹側部と該背側部とを接合して形成されたサイドシール部を有する環状ベルトからなり、前記腹側部と前記背側部との間を架け渡すように吸収性パッドが固定可能になっているパッドホルダーであって、前記腹側部と前記背側部は吸収性パッドを取り付けるための取り付け手段が設けられており、前記腹側部は、外表面を形成する外層シート及び該外層シートよりも内側に位置する内層シートを有しており、前記腹側部は、上腹部領域及び下腹部領域を有し、該下腹部領域は該上腹部領域よりも下部開口縁側に位置しており、前記上腹部領域においては、前記外層シートと前記内層シートとの間が非接合状態となっており、かつ上腹部弾性部材が横方向に延びて前記内層シートに固定されている、パッドホルダーを提供するものである。
【発明の効果】
【０００８】
本発明のパンツ型吸収性物品においては、腹側部外装体と背側部外装体が股部で分離されているので、該物品の着用状態において着用者の体勢に起因する外装体の引き攣れが効果的に抑制される。その結果、上腹部領域において外装体の外層シートが内層シートから浮きやすくなり、着用状態での物品の通気性及び透湿性が良好になる。また、着用状態での外層シートのよれが抑制されるので、物品の外観が良好になる。
【０００９】
本発明のパッドホルダーにおいては、下着様のすっきりした外観を呈する。パッドホルダーと吸収性パッドとは別体になっているので、着用状態において着用者の体勢に起因して吸収性パッドが変形しても、その変形が腹側部及び／又は背側部に伝播しづらいので、腹側部及び／又は背側部の引き攣れが効果的に抑制される。その結果、上腹部領域において外装体の外層シートが内層シートから浮きやすくなり、着用状態での物品の通気性及び透湿性が良好になる。また、着用状態での外層シートのよれが抑制されるので、物品の外観が良好になる。
【図面の簡単な説明】
【００１０】
【図１】図１は、本発明のパンツ型吸収性物品の第１実施形態としてのパンツ型使い捨ておむつを示す斜視図である。
【図２】図２は、図１に示すおむつを伸長させて拡げた状態を表面シート側から見た展開平面図である。
【図３】図３は、図２におけるIII−III線断面図である。
【図４】図４は、本発明のパンツ型吸収性物品の第２実施形態としてのパンツ型使い捨ておむつを示す斜視図である。
【図５】図５は、図４に示すパンツ型使い捨ておむつにおけるＶ−Ｖ線断面図である。
【図６】図６は、図４に示すパンツ型使い捨ておむつの肌当接面に、吸収性パッドを取り付けた状態を示す断面図（図５相当図）である。
【図７】図７は、本発明のパッドホルダーを示す斜視図である。
【図８】図８（ａ）及び図８（ｂ）は、図７に示すパッドホルダーに、吸収性パッドを取り付ける様子を示す斜視図である。
【発明を実施するための形態】
【００１１】
以下本発明を、その好ましい実施形態に基づき図面を参照しながら説明する。図１ないし図３には、本発明の第１実施形態としてのパンツ型使い捨ておむつ１（以下、「おむつ１」とも言う）が示されている。おむつ１は、着用状態において着用者の腹側に配される矩形のシート状の腹側外装体２Ａと、着用者の背側に配される矩形のシート状の背側外装体２Ｂと、腹側外装体２Ａ及び背側外装体２Ｂに架け渡して固定された吸収性本体３とを具備する。腹側外装体２Ａの両側縁部２ａ，２ａと背側外装体２Ｂの両側縁部２ｂ，２ｂとは接合されており、それによって一対のサイドシール部４，４が形成される。その結果、腹側外装体２Ａ及び背側外装体２Ｂから構成される環状外装部１０が形成される。
【００１２】
おむつ１は図１及び図２に示すように着用状態において、着用者の腹側に配される腹側部Ａと、着用者の背側に配される背側部Ｂと、腹側部Ａと背側部Ｂとの間に位置し着用者の股間部に配される股部Ｃとを有している。おむつ縦方向は腹側部Ａから股下部Ｃを経て背側部Ｂにわたる方向又はその逆方向（図２中Ｙ方向）であり、おむつ横方向は着用者の胴回り方向に沿う方向であり、縦方向と直交する方向（図２中、Ｘ方向）である。以下、おむつ縦方向を単にＹ方向ともいい、おむつ横方向を単にＸ方向とも言う。
【００１３】
本実施形態のおむつ１についてより具体的に説明すると、おむつ１の吸収性本体３は図２に示す通り、液透過性の表面シート３１、液不透過性又は撥水性の裏面シート３２、及び両シート３１，３２間に介在配置された液保持性の吸収体３３を有しており、Ｙ方向に長い矩形状に形成されている。吸収体３３は、パルプ繊維等の繊維の集合体（不織布であっても良い）からなる吸収性コア又はこれに吸水性ポリマーの粒子を保持させてなる吸収性コアと、該吸収性コアを被覆するコアラップシート（図示せず）からなる。吸収体３３もＹ方向に長い矩形状に形成されている。
【００１４】
吸収性本体３のＹ方向に沿う両側部には、液抵抗性ないし撥水性でかつ通気性の素材から構成された側方カフス３４，３４が形成されている。各側方カフス３４の自由端の近傍には側方カフス弾性部材３５が伸長状態で配されている。おむつ１の着用中には、側方カフス弾性部材３５が収縮することにより側方カフス３４が起立し、吸収性本体３から横方向外方への液の流出が阻止される。表面シート３１、裏面シート３２、及び吸収体３３の吸収性コアやコアラップシートとしては、それぞれ、この種の吸収性物品に従来用いられているものと同様のものを用いることができる。吸収性本体３の外側には必要に応じ、裏面シート３２に重ねて、不織布やフィルム等の外層シートを配することもできる。しかし、吸収性本体３の外側には、腹側外装体２Ａ及び／又は背側外装体２Ｂからの連続した延出部位としての外装体は配置されていない。
【００１５】
腹側外装体２Ａは、おむつ１の展開かつ伸長状態（図２参照）において横長の矩形状をなしており、Ｙ方向に沿う左右一対の側縁部２ａ，２ａと、Ｘ方向に沿う上下一対の端縁部２ｃ，２ｄ（上側端縁部２ｃ、下側端縁部２ｄ）とを有している。背側外装体２Ｂも同様に、おむつ１の展開かつ伸長状態（図２参照）において横長の矩形状をなしており、Ｙ方向に沿う左右一対の側縁部２ｂ，２ｂと、Ｘ方向に沿う上下一対の端縁部２ｃ，２ｄ（上側端縁部２ｃ、下側端縁部２ｄ）とを有している。腹側外装体２Ａと背側外装体２Ｂは、図２に示すように、Ｙ方向の長さがＸ方向において均一である。しかしながら、腹側外装体２Ａと背側外装体２Ｂのいずれか一方の縦方向長さが、当該外装体の一部において他方の外装体より長くなされていても良い。例えば、背側外装体２Ｂがサイドシール部４，４よりも縦方向において股部Ｃ側へ延出し、臀部を覆うような形態が挙げられる。要は、腹側外装体２Ａと背側外装体２Ｂとが股部において連続しておらず、両外装体がサイドシール部４，４で接合され、環状の外装部１０を形成していれば良い。
【００１６】
そして、腹側外装体２Ａの側縁部２ａと背側外装体２Ｂの側縁部２ｂとが合掌状に接合されていることによって、おむつ１に前述した一対のサイドシール部４，４が形成されている。この接合には、例えばヒートシール、高周波シール、超音波シール、接着剤等の公知の接合手段が用いられる。またこの接合によって、サイドシール部４，４とともに、図１に示す通り、ウエスト開口部５及び一対のレッグ開口部６，６が形成されている。
【００１７】
吸収性本体３は、図３に示す通り、Ｙ方向の一端側（腹側外装体２Ａと重なっている部分）が腹側外装体２ＡのＹ方向の中央領域に接着剤（図示せず）を介して固定されている。同様に、長手方向の他端側（背側外装体２Ｂと重なっている部分）が、背側外装体２ＢのＹ方向の中央領域に接着剤（図示せず）を介して固定されている。
【００１８】
以下の説明においては、主としておむつ１の腹側外装体２Ａの構成について図２及び図３を参照しつつ説明するが、特に断らない限り背側外装体２Ｂも同様の構成を有している。
【００１９】
おむつ１における腹側外装体２Ａは図３に示す通り、外層シート２２を構成するシート２２ａと内層シート２３とを備えている。外層シート２２を構成するシート２２ａは、そのＹ方向中央部が、腹側外装体２Ａの最外面をなす外層シート２２を構成している。内層シート２３は、外層シート２２に隣接させて該外層シート２２の当接面側に配されている。Ｘ方向に関しては、外層シート２２を構成するシート２２ａと内層シート２３とは同形をしている。一方Ｙ方向に関しては、外層シート２２を構成するシート２２ａと内層シート２３とは同形ではなく、外層シート２２を構成するシート２２ａは図３に示す通り、内層シート２３のＹ方向のウエスト開口縁Ｗ側に位置する端縁からＹ方向外方に延出した延出部２２１を有している。この延出部２２１は図３に示す通り、ウエスト開口縁Ｗにおいて内面側（肌当接面側）に折り返されている。ウエスト開口縁Ｗは、ウエスト開口部５の周縁である。折り返された延出部２２１は、内層シート２３よりも、肌当接側に配置されている補助シート２４の肌当接面を被覆している。
【００２０】
おむつ１は図２及び図３に示す通り、吸収性本体３のＹ方向の端縁３Ｗを覆う略矩形状の補助シート２４を備えている。補助シート２４は腹側外装体２Ａに一枚配されている。同様に背側外装体２Ｂにも一枚配されている。図３に示す通り、補助シート２４におけるＹ方向の一方の端縁は内層シート２３のＹ方向のウエスト開口縁Ｗ側に位置する端縁と略同じ位置にある。これに対して、補助シート２４におけるＹ方向の他方の端縁は吸収性本体３のＹ方向の端縁３Ｗを越えて、該吸収性本体３の表面シート３１上に延在している。したがって、おむつ１の肌当接面は外層シート２２を構成するシート２２ａの延出部２２１と、補助シート２４と、表面シート３１とから構成されている。
【００２１】
腹側外装体２Ａは、図３に示す通り、上腹部領域Ａ２と、該上腹部領域Ａ２に隣接し該上腹部領域Ａ２よりも股部Ｃ側に位置する下腹部領域Ａ３を有する。逆に言えば、下腹部領域Ａ３は上腹部領域Ａ２よりも股部Ｃ側に位置している。本実施形態においては、腹側外装体２Ａは、ウエスト開口縁Ｗを含むウエスト領域Ａ１を更に有する。ウエスト領域Ａ１は、上腹部領域Ａ２に隣接し上腹部領域Ａ２よりもウエスト開口縁側に位置する。上腹部領域Ａ２は、腹側外装体２Ａに固定されている吸収性本体３のＹ方向の端縁３Ｗよりもウエスト開口縁Ｗ側であり、３層のシートが積層されている領域である。本実施形態のおむつ１においては、上腹部領域Ａ２は、外層シート２２、内層シート２３及び補助シート２４により構成されている。この他に、上腹部領域Ａ２は、外層シート２２、延出部２２１、内層シート２３及び補助シート２４の任意の３層以上の組合せによって構成されていても良い。本実施形態において、外層シート２２、延出部２２１、内層シート２３及び補助シート２４の４層で構成された部分も上腹部領域Ａ２に含まれる。図示していないが、おむつ１における背側外装体２Ｂも、腹側外装体２Ａと同様に、ウエスト開口縁Ｗ側から股部Ｃ側に向かって順に、ウエスト領域Ｂ１、上背部領域Ｂ２及び下背部領域Ｂ３を有している。なお、本明細書では上腹部領域Ａ２と上背部領域Ｂ２をまとめて「上胴部領域」、下腹部領域Ａ３と下背部領域Ｂ３をまとめて「下胴部領域」とも言う。ウエスト領域Ａ１，Ｂ１はおむつ１のＹ方向において、ウエスト開口縁Ｗから内層シート２３のＹ方向のウエスト開口縁側に位置する端縁までの間にわたっている。上胴部領域Ａ２，Ｂ２は、おむつ１のＹ方向において、ウエスト弾性部材５１のうち、最も股部Ｃ寄りに位置するものの下端から、外層シート２２と内層シート２３とが接着剤Ｈによって接合されている領域の上端までの間にわたっている。更に下胴部領域Ａ３，Ｂ３は、おむつ１のＹ方向において、外層シート２２と内層シート２３とが接着剤Ｈによって接合されている領域の上端から、腹側外装体２Ａ（背側外装体２Ｂ）の下側端縁部２ｄまでの間にわたっている。
【００２２】
ウエスト領域Ａ１は腹側外装体２Ａにおいて、ウエスト開口縁Ｗに沿っておむつ１のＸ方向に帯状に延びている。ウエスト領域Ａ１には、糸状又は帯状の複数本（図示例は５本）のウエスト弾性部材５１が、それぞれおむつ１のＸ方向に延びてＸ方向に伸長させた状態で、外層シートを構成するシート２２ａの折り返された延出部２２１の間に固定されている。ウエスト弾性部材５１の本数は、ウエスト領域Ａ１に好ましくは３本以上、より好ましくは５本以上配されている。そして、好ましくは２０本以下、より好ましくは１５本以下配されている。具体的には、３〜２０本配されていることが好ましく、より好ましくは５〜１５本である。図３に示す通りウエスト弾性部材５１は、ウエスト領域Ａ１において外層シートを構成するシート２２ａの延出部２２１を折り返すことで対向する内面の略全面に塗布された接着剤（図示せず）を介して固定されている。ウエスト弾性部材５１は、腹側外装体２Ａにおいてサイドシール部４，４間の全域にわたって配されている。おむつ１の着用状態においては、ウエスト弾性部材５１の収縮によって、外層シート２２に多数の襞ないし凹凸が生じてウエストギャザーＧ１が形成される（図１参照）。
【００２３】
ウエスト領域Ａ１に隣接して位置している上腹部領域Ａ２もおむつ１のＸ方向に帯状に延びている。図３に示す通り、上腹部領域Ａ２では外層シート２２と内層シート２３とが非接合状態となっている。これとともに上腹部領域Ａ２では、糸状又は帯状の上胴部弾性部材７１がおむつ１のＸ方向に延びてＸ方向に伸長させた状態で内層シート２３に固定されている。なお、上胴部弾性部材７１とは上腹部弾性部材と上背部弾性部材を併せて表現したもので、本明細書では各々単独の場合又は双方含めた場合で使用する。上胴部弾性部材７１は内層シート２３と補助シート２４との間に配置されており、内層シート２３と補助シート２４の双方に固定されている。これに対して上腹部領域Ａ２では外層シート２２にはギャザー形成用の弾性部材は固定されていない。上胴部弾性部材７１の固定には、例えば接着剤（図示せず）が用いられる。上胴部弾性部材７１は、２本以上配されていることが好ましい。そして、好ましくは１０本以下、より好ましくは５本以下配されている。具体的には、２〜１０本配されていることが好ましく、より好ましくは２〜５本である。おむつ１の着用状態においては、上胴部弾性部材７１の収縮によって内層シート２３及び補助シート２４に多数の襞ないし凹凸が生じて、内側ギャザー（図示せず）が形成される。内側ギャザーは内層シート２３と非接合状態になっている外層シート２２よりも内側に位置するので、該内側ギャザーはおむつ１の外表面から視認し難くなっている。その結果、該外層シート２２は下着様の外観を呈するようになる。また、上腹部領域Ａ２において内層シート２３と非接合状態になっている外層シート２２は、図１に示す通り、内側ギャザーの収縮によっておむつ１の外方へ向けて膨らんだ膨出部Ｒを有する形状になり、柔らかな印象を使用者に与え、下着様の外観との相乗効果で外観が一層良好なものになる。
【００２４】
本発明において「非接合状態」とは、上腹部領域Ａ２における左右のサイドシール４，４間の全面で、外層シート２２と内層シート２３とが非接合となっているものに限定されず、両シートが一部で接合されていている場合であっても、実質的に内側シートのギャザーの影響を抑えられたものは排除せず、「非接合状態」に含まれる。おむつ１は、上腹部領域Ａ２又は上背部領域Ｂ２が、着用者の腸骨稜から上前腸骨棘にかけての部位に当接するように着用されることが好適である。具体的には下記の通りである。上腹部領域Ａ２において、サイドシール部４，４間の内層シート２３が存在する領域の全面積（伸長状態）に対する外層シート２２と内層シート２３とが非接合の領域は、８５％以上、特に９０％以上であることが好ましい。該非接合の領域のＹ方向の長さＬ１は、おむつ１のＹ方向の全長Ｌ（図２参照）の１％以上、特に２％以上である。そして、１２％以下、特に９．５％以下である。具体的には、１〜１２％、特に、２〜９．５％であることが、おむつ外表面の広い範囲を柔軟で肌触りの良い領域とし、おむつを柔らかな印象を与えるものとする観点から好ましい。また上腹部領域Ａ２は、ウエスト開口部端からレッグ開口部端の間の長さ（すなわち、腹部Ａのサイドシール４のＹ方向長さの合計長さ）に対して５％以上、特に１０％以上である。そして、７０％以下、特に５０％以下である。具体的には、５〜７０％、特に１０〜５０％のＹ方向長さを有することが、下着様で柔らかい外観を与える観点やずれ落ち抑制の観点や、胴回りをやさしくかつしっかりと抑える目的から好ましい。また、膨らむ領域が適度となるので、だぶついた印象を着用者らに与え難いとともに、伸縮性を備えていることを着用者に視覚的に与える効果も高くなる。
【００２５】
上腹部領域Ａ２に隣接し、かつ該上腹部領域Ａ２の下、つまり該上腹部領域Ａ２よりも股部Ｃ側に位置する下腹部領域Ａ３では、外層シート２２と内層シート２３とが、接着剤Ｈによって接合されている。また、下腹部領域Ａ３においては、内層シート２３の肌当接面側と吸収性本体３の裏面シート３２とも接着剤（図示せず）によって接合されている。外層シート２２と内層シート２３との接合に用いられる接着剤は、例えば全面ベタ塗りで塗工されるか、又はスパイラル状若しくはオーム字状のパターンで塗工される。一方、内層シート２３の肌当接面側と吸収性本体３の裏面シート３２との接合に用いられる接着剤は、吸収性本体３のＸ方向中央域の位置においてＹ方向に延びるように塗布されているか、又は両者の対向域全域に塗布される。
【００２６】
下腹部領域Ａ３においては、図２に示す通り、吸収性本体３のＹ方向に延びる側縁よりもＸ方向外方の位置において、外層シート２２と内層シート２３との間に糸状又は帯状の下胴部弾性部材９１が配置されている。なお、下胴部弾性部材９１とは下腹部弾性部材と下背部弾性部材を併せて表現したもので、本明細書では各々単独の場合又は双方含めた場合で使用する。下胴部弾性部材９１はＸ方向に延びている。下胴部弾性部材９１は、伸長状態下に外層シート２２及び内層シート２３に接着剤（図示せず）によって接合されている。下腹部領域Ａ３のうち、吸収性本体３と重なる部位には弾性部材９１は配置されていない。おむつ１の自然状態においては、下胴部弾性部材９１の収縮に起因して外層シート２２及び内層シート２３に多数の襞ないし凹凸が生じ、図１に示す通り下胴部ギャザーＧ３が形成されている。
【００２７】
以上の構成を有する本実施形態のおむつ１によれば、上腹部領域において外層シート２２と内層シート２３との間が非接合状態になっており、かつ上腹部弾性部材７１の収縮によって形成される内側ギャザー（図示せず）は外層シート２２よりも内側に位置するので、該内側ギャザーをおむつ１の外表面から視認し難く、その結果おむつ１はすっきりとした外観を呈するものとなる。また内側ギャザーの収縮力に起因して、おむつ１はその着用状態においてずれ落ち等が効果的に防止される。おむつ１のずれ落ちは、下腹部領域に配置されている下腹部弾性部材９１の収縮力によっても防止される。しかも股部Ｃに腹側外装体２Ａからの連続した延出部位としての外装体が配されていないので、着用状態において着用者の体勢に起因して股部Ｃが変形しても、その変形が腹側外装体２Ａに伝播しづらいので、腹側外装体２Ａの引き攣れが効果的に抑制される。その結果、上腹部領域において外層シート２２が内層シート２３から浮きやすくなり、上述した膨出部Ｒが首尾良く形成される。このことに起因して、着用状態での上腹部領域の通気性及び透湿性が良好になる。また、着用状態での外層シート２２のよれが抑制されるので、おむつ１の外観が良好になる。
【００２８】
上述したおむつ１において、表面シート３１、裏面シート３２、吸収体３３、及び側方カフス３４形成用シート等としては、使い捨ておむつ等の吸収性物品に従来用いられている各種のもの等を特に制限なく用いることができる。例えば、表面シート３１としては、単層又は多層構造の不織布や、開孔フィルム等を用いることができる。裏面シート３２としては、樹脂フィルムや樹脂フィルムと不織布の積層体等を用いることができる。吸収体３３としては、パルプ繊維等の繊維の集合体（不織布であっても良い）からなる吸収性コア又はこれに吸水性ポリマーの粒子を保持させてなる吸収性コアを、ティッシュペーパ等からなるコアラップシートで被覆したものを用いることができる。
【００２９】
また、外層シート２２、内層シート２３及び補助シート２４としても、使い捨ておむつ等の吸収性物品に従来用いられている各種のシート材を特に制限なく用いることができる。上腹部領域Ａ２の通気性及び透湿性を高める観点からは、これらのシート２２，２３，２４は通気性を有することが好ましい。特に不織布を用いることが好ましい。不織布としては、エアスルー不織布、スパンボンド不織布、スパンレース不織布、メルトブローン不織布、ヒートロール不織布等の各種の不織布を単層で用いるか、又はこれらが２層以上に積層された積層不織布として用いることが好ましい。また、これらのシート２２，２３及び２４として、不織布とフィルムとを一体化したシート等を用いることもできる。
【００３０】
弾性部材５１，７１，９１の形成素材としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、楕円形又は多角形状等の糸状（糸ゴム等）、若しくは帯状（平ゴム等）のもの、又はマルチフィラメントタイプの糸状のもの等を好ましく用いることができる。弾性部材５１，７１，９１の太さは、３１０ｄｔｅｘ以上、特に４７０ｄｔｅｘ以上、更に６２０ｄｔｅｘ以上であることが好ましい。そして、１６７０ｄｔｅｘ以下、特に９４０ｄｔｅｘ以下であることが好ましい。具体的には、３１０〜１６７０ｄｔｅｘ、特に４７０〜１６７０ｄｔｅｘ、更に６２０〜９４０ｄｔｅｘとすることが好ましい。特に、上胴部弾性部材７１に関しては、装着感とずれ落ち抑制の両立、また、着用者肌当接側に配置されることからから痕付き抑制を考慮して４７０ｄｔｅｘ以上、特に６２０ｄｔｅｘ以上、１６７０ｄｔｅｘ以下とすることが好ましく、具体的には、４７０〜１６７０ｄｔｅｘ、特に６２０〜１６７０ｄｔｅｘとすることが好ましい。下胴部弾性部材９１としては、装着感とずれ落ちの両立に加え、すっきりした外観を与える観点、また、吸収体を十分に抑える観点から３１０ｄｔｅｘ以上、特に４７０ｄｔｅｘ以上、６８０ｄｔｅｘ以下とすることが好ましく、具体的には、３１０〜６８０ｄｔｅｘ、特に４７０〜６８０ｄｔｅｘを使用することが好ましい。また、これらの効果を確実に達成する観点及び締め付け感緩和の観点からは、上胴部弾性部材７１よりも下胴部弾性部材９１の方が細く、かつ本数が多いように配置されることが好ましい。具体的には、上腹部弾性部材よりも下腹部弾性部材の方が細く、かつ本数が多いように配置されることが好ましい。また、上背部弾性部材よりも前記下背部弾性部材の方が細く、かつ本数が多いように配置されることが好ましい。ウエスト弾性部材５１の配置間隔は、１ｍｍ以上、特に２ｍｍ以上であることが好ましい。そして、１５ｍｍ以下、特に１０ｍｍ以下であることが好ましい。具体的には、１〜１５ｍｍ、特に２〜１０ｍｍとすることが好ましい。上胴部弾性部材７１の配置間隔は、２ｍｍ以上、特に３ｍｍ以上であることが好ましい。そして、４０ｍｍ以下、特に３０ｍｍ以下であることが好ましい。具体的には、２〜４０ｍｍ、特に３〜３０ｍｍとすることが好ましい。下胴部弾性部材９１の配置間隔は、２ｍｍ以上、特に３ｍｍ以上であることが好ましい。そして、１５ｍｍ以下、特に１０ｍｍ以下であることが好ましい。具体的には、２〜１５ｍｍ、特に３〜１０ｍｍとすることが好ましい。
【００３１】
次に、本発明の第２及び３実施形態について、図４ないし図８を参照しながら説明する。これらの実施形態については、第１実施形態と異なる点について説明し、特に説明しない点については第１実施形態に関して詳述した説明が適宜適用される。また図４ないし図８において、図１ないし図３と同じ部材には同じ符号を付してある。
【００３２】
図４ないし図６に示す第２実施形態が第１実施形態と異なる点は、腹側外装体２Ａ及び背側外装体２Ｂと吸収性本体３との接合態様である。第１実施形態のおむつにおいては、吸収性本体３はその外面側において腹側外装体２Ａ及び背側外装体２Ｂの内面に固定されている。これに対して本実施形態では、吸収性本体３はその内面側において腹側外装体２Ａ及び背側外装体２Ｂの外面に固定されている。具体的には、腹側外装体２Ａ及び背側外装体２Ｂにおける外面に、吸収性本体３の表面シートが対向するように両者が接合固定されている。
【００３３】
より詳細には、腹側外装体２Ａ及び背側外装体２Ｂにおける外面をなす外層シート２２と吸収性本体３の表面シート３１とを対向させ、その状態下に吸収性本体３のＹ方向の端縁３Ｗを跨ぐように連結シート２５を配置する。連結シート２５はＸ方向に長い略矩形をしており、吸収性本体３の端縁３Ｗ近傍の裏面シート３２を被覆するとともに、該端縁３Ｗに隣接する外層シート２２を被覆する。そして、連結シート２５のＹ方向の下端縁２５ｂの近傍の位置において該連結シート２５と裏面シート３２とを接着剤で接合する。これとともに、連結シート２５のＹ方向の上端縁２５ａの近傍の位置において該連結シート２５と外層シート２２とを接着剤で接合する。連結シート２５と外層シート２２との接合位置は、腹側外装体２Ａ及び背側外装体２Ｂにおける下胴部領域Ａ３，Ｂ３であることが好ましい。また、必要に応じ、これらの接合に加えて、連結シート２５のＹ方向に沿う両側縁の位置において該連結シート２５と外層シート２２とを接合しても良い。
【００３４】
連結シート２５としては、各種の不織布やフィルム等を特に制限なく用いることができる。
【００３５】
腹側外装体２Ａ及び背側外装体２Ｂと吸収性本体３とを上述の通りの態様で接合することで、腹側外装体２Ａと吸収性本体３との間には、図５に示す通りポケット部Ｐが形成される。ポケット部Ｐは外層シート２２と表面シート３１とで画定される空間からなり、腹側外装体２Ａの下側端縁部２ｄの位置において下方に向けて開口している。図示していないが、背側外装体２Ｂにおいても同様の構成のポケット部が形成されている。
【００３６】
以上の構成を有する第２実施形態のおむつ１によれば、先に説明した第１実施形態と同様の効果が奏される。更に本実施形態のおむつ１は、吸収性パッド（補助パッドとも呼ばれる。）と併用しやすいという効果も奏される。この効果について図６を参照しながら説明する。
【００３７】
先に説明した吸収性本体３と同様に、吸収性パッド１０３は、一般に液透過性の表面シート１３１、液不透過性又は撥水性の裏面シート１３２及び両シート間に介在配置された液保持性の吸収体１３３を有しており、縦長の形状をしている。吸収性パッド１０３は、おむつ１の吸収性本体３による液の吸収を補助する目的や、おむつ１の交換回数を低減させる目的で使用される。吸収性パッド１０３は、裏面シート１３２の外面が、おむつ１の表面シート３１と対向するように該表面シート３１上に載置されて使用される。おむつ１の着用状態においては、着用者の動作等に起因して吸収性パッド１０３の載置位置が適正な位置からずれる場合があるところ、これを防止するために、本実施形態のおむつ１においては図６に示す通り、吸収性パッド１０３の縦方向の前後の端部域をおむつ１の各ポケット部Ｐに挿入できるようになっている。該端部域をポケット部に挿入することによって、吸収性パッド１０３における裏面シート１３２の外面とおむつ１の表面シート３１とを両面テープや面ファスナなどの接合手段によって固定することなく、吸収性パッド１０３の載置位置にずれが生じることを効果的に防止することができる。また、端部域をポケット部Ｐに挿入するという簡単な操作だけで吸収性パッド１０３をおむつ１に取り付けることができ、更に取り外しも容易である。なお、ポケット部Ｐと、両面テープや面ファスナなどの接合手段とを併用することは妨げられない。
【００３８】
これまで説明してきた実施形態はパンツ型使い捨ておむつに係るものであったところ、図７及び図８に示す実施形態はパッドホルダーに係るものである。パッドホルダーは、吸収性パッドと併用され、吸収性パッドを着用者の身体に固定するために用いられるものである。図７に示すパッドホルダー１００は、これまで説明してきた実施形態のパンツ型使い捨ておむつから吸収性本体を除去したものに相当する。パッドホルダー１００は、着用者の腹側に配される腹側部１０２Ａと、着用者の背側に配される背側部１０２Ｂとを具備する。腹側部１０２Ａ及び背側部１０２Ｂの構成は、これまで説明してきた実施形態のパンツ型使い捨ておむつにおける腹側外装体２Ａ及び背側外装体２Ｂと同様になっている。腹側部１０２Ａ及び背側部１０２Ｂはいずれも同形で、かつ略矩形をしている。パッドホルダー１００は、腹側部１０２Ａ及び背側部１０２Ｂの両側縁部及び上側端縁部１０２ｃ、下側端縁部１０２ｄの位置合わせをして重ね合わせた状態下に、それらの両側縁部を接合することによって形成された一対のサイドシール部１０４，１０４を有し、無端の環状ベルトになっている。したがってパッドホルダー１００は上部開口部及び下部開口部を有している。
【００３９】
パッドホルダー１００は、その上部開口部の上部開口縁Ｗ’に沿って配された複数本のウエスト弾性部材１５１を有している。ウエスト弾性部材１５１はＸ方向に延びている。ウエスト弾性部材１５１の固定状態は、第１及び第２実施形態におけるウエスト弾性部材５１の固定状態と同様である。更にパッドホルダー１００は、下側端縁部１０２ｄ寄りの位置に、該下側端縁部１０２ｄに沿って配された複数本の下胴部弾性部材１９１を有している。下胴部弾性部材１９１はＸ方向に延びている。下胴部弾性部材１９１の固定状態は、第１及び第２実施形態における下胴部弾性部材９１の固定状態と同様である。そして、ウエスト弾性部材１５１及び下胴部弾性部材１９１の収縮によって、腹側部１０２Ａ及び背側部１０２Ｂには、ウエストギャザーＧ１及び下腹部ギャザーＧ３が形成される。
【００４０】
腹側部１０２Ａは、ウエスト領域Ａ１と、該ウエスト領域Ａ１に隣接し、かつ該ウエスト領域Ａ１よりも下側端縁部１０２ｄ側に位置する上腹部領域Ａ２と、該上腹部領域Ａ２に隣接し、かつ該上腹部領域Ａ２よりも下側端縁部１０２ｄ側に位置する下腹部領域Ａ３とを有している。逆に言えば、下腹部領域Ａ３は上腹部領域Ａ２よりも下側端縁部１０２ｄ側に位置している。背側部１０２Ｂも、ウエスト領域Ｂ１、上背部領域Ｂ２及び下背部領域Ｂ３を有している。ウエスト領域Ａ１，Ｂ１、上胴部領域Ａ２，Ｂ２、及び下胴部領域Ａ３，Ｂ３の構成は、第１及び第２実施形態の外装体と同様である。ウエスト領域Ａ１，Ｂ１は、パッドホルダー１００のＹ方向において、上部開口縁Ｗ’から、内層シート（図示せず）のＹ方向のウエスト開口縁側に位置する端縁までの間にわたっている。上胴部領域Ａ２，Ｂ２は、腹側部１０２Ａ及び背側部１０２Ｂに配置されている取り付け手段１４０のＹ方向のウエスト開口縁側に位置する端縁よりも上部開口縁Ｗ’側であり、３層のシートが積層されている領域である。上胴部領域Ａ２，Ｂ２は、外層シート、延出部、内層シート及び補助シートの任意の組合せによって３層以上構成されている。上胴部領域Ａ２，Ｂ２は、パッドホルダー１００のＹ方向において、内層シートと補助シート（いずれも図示せず）との間に接合固定された複数本の上胴部弾性部材（図示せず）の配置領域に相当する。下胴部領域Ａ３，Ｂ３は、複数本の上胴部弾性部材（図示せず）のうち、最も下側に配置されている上胴部弾性部材よりも下側端縁部１０２ｄ側（下部開口縁側）の領域である。パッドホルダー１００は、上腹部領域Ａ２又は上背部領域Ｂ２が、着用者の腸骨稜から上前腸骨棘にかけての部位に当接するように着用されることが好適である。具体的には下記の通りである。外層シートと内層シートとが非接合の領域のＹ方向の長さＬ１’は、パッドホルダー１００のＹ方向の全長Ｌ’（図７参照）の３％以上、特に６％以上である。そして、４０％以下、特に３５％以下である。具体的には、３〜４０％、特に、６〜３５％であることが、おむつ外表面の広い範囲を柔軟で肌触りの良い領域とし、おむつを柔らかな印象を与えるものとする観点から好ましい。
【００４１】
腹側部１０２Ａ及び背側部１０２Ｂにおける上胴部領域Ａ２，Ｂ２においては、外層シート１２２と内層シート（図示せず）とは非接合状態になっている。そして、この非接合状態と上述したウエストギャザーＧ１及び下腹部ギャザーＧ３の収縮によって、上胴部領域Ａ２，Ｂ２における外層シート１２２はおむつ１の外方へ向けて膨らんだ膨出部Ｒを有する形状になる。
【００４２】
パッドホルダー１００は、腹側部１０２Ａと背側部１０２Ｂとの間を架け渡すように吸収性パッドが固定可能になっている。吸収性パッドの固定態様には、大別して図８（ａ）及び図８（ｂ）に示す二通りがある。図８（ａ）に示す固定態様では、パッドホルダー１００の肌当接面である補助シート１２４の肌当接面側と、吸収性パッド１０３の裏面シート１３２の外面側とが対向するように該吸収性パッドを取り付ける。取り付けのために、腹側部１０２Ａ及び背側部１０２ＢにおけるＸ方向中央域において、補助シート１２４の肌当接面側に取り付け手段１４０を設ける。この場合には、腹側部１０２Ａ及び背側部１０２Ｂの下側端縁部１０２ｄ近傍の位置に、Ｘ方向に延びるように取り付け手段１４０を配置することが好適である。この取り付け手段に加えて、又はそれに代えて、裏面シート１３２の外面側に取り付け手段（図示せず）を設けることもできる。取り付け手段を裏面シート１３２の外面側に設ける場合には、吸収性パッド１０３のＹ方向の前後端部域の位置にＸ方向に延びるように配置することが好適である。取り付け手段を補助シート１２４の肌当接面側に取り付ける場合、及び裏面シート１３２の外面側に取り付ける場合のいずれであっても取り付け手段としては、例えば両面テープや、面ファスナのフック部材及びループ部材を用いることができる。
【００４３】
図８（ｂ）に示す固定態様では、パッドホルダー１００の最外面である外層シート１２２の外面側と、吸収性パッド１０３の表面シート１３１の内面側とが対向するように該吸収性パッドを取り付ける。取り付けのために、腹側部１０２Ａ及び背側部１０２ＢにおけるＸ方向中央域において、外層シート１２２の外面側に取り付け手段１４０を設ける。この場合には、腹側部１０２Ａ及び背側部１０２Ｂの下側端縁部１０２ｄ近傍の位置に、Ｘ方向に延びるように取り付け手段１４０を配置することが好適である。この取り付け手段に加えて、又はそれに代えて、表面シート１３１の外面側に取り付け手段（図示せず）を設けることもできる。この場合には、取り付け手段を吸収性パッド１０３のＹ方向の前後端部域の位置に、Ｘ方向に延びるように配置することが好適である。取り付け手段としては、図８（ａ）に示す場合と同様のものを用いることができる。
【００４４】
本実施形態のパッドホルダー１００を用いることで、吸収性パッド１０３の着脱を容易に行うことができる。また、パッドホルダー１００は、下着様のすっきりした外観を呈する。吸収性パッド１０３の取り付け状態下でのパッドホルダー１００のずれ落ちは、ウエスト弾性部材１５１、上胴部弾性部材（図示せず）及び下胴部弾性部材１９１によって効果的に防止される。しかも、パッドホルダー１００と吸収性パッド１０３とは別体になっているので、着用状態において着用者の体勢に起因して吸収性パッド１０３が変形しても、その変形が腹側部１０２Ａ及び／又は背側部１０２Ｂに伝播しづらいので、腹側部１０２Ａ及び／又は背側部１０２Ｂの引き攣れが効果的に抑制される。したがって第１及び第２実施形態と同様に、上腹部領域Ａ２，Ｂ２において外層シート１２２が内層シート（図示せず）から浮きやすくなり、着用状態での上腹部領域Ａ２，Ｂ２の通気性及び透湿性が良好になる。
【００４５】
以上、本発明をその好ましい実施形態に基づき説明したが、本発明は前記実施形態に制限されない。例えば第１及び第２実施形態においては、腹側外装体２Ａ及び背側外装体２Ｂの双方が上胴部領域Ａ２，Ｂ２において、外層シート２２と内層シート２３とが非接合であり、かつ内層シート２３に上胴部弾性部材７１が固定されていたが、この構成は少なくとも腹側外装体２Ａにおいて満足していれば良く、背側外装体２Ｂに関しては腹側外装体２Ａと異なる構成を採用しても良い。第３実施形態における腹側部１０２Ａ及び背側部１０２Ｂについても同様である。なお背側部Ｂの外層シート１２表面に廃棄用のファスニングテープを配置する場合、両部材の固定を確実なものとするために当該部分において外層シート１２と内層シート１４を接合することができる。この場合には、背側部Ｂにおいて、接合部分の総面積が上背部領域Ｂ２の面積に対して２０％以下、特に１５％以下とすることが好ましい。
【００４６】
また前記の各実施形態においては、下胴部弾性部材９１を用いなくても良い。あるいは下胴部弾性部材９１を、内層シートに固定しても良い。
【００４７】
また第１及び第２実施形態は、本発明をパンツ型使い捨ておむつに適用した例であるが、本発明のパンツ型吸収性物品はこれ以外の吸収性物品、例えばショーツ型生理用ナプキン等にも同様に適用できる。
【００４８】
更に第１及び第２実施形態においては、吸収性本体３のＹ方向の前後端部域のうち、一方の端部域が第１実施形態に示す態様で腹側外装体２Ａ又は背側外装体２Ｂに接合され、かつ他方の端部域が第２実施形態に示す態様で腹側外装体２Ａ又は背側外装体２Ｂに接合されていても良い。同様に、第３実施形態においては、吸収性パッド１０３のＹ方向の前後端部域のうち、一方の端部域とパッドホルダー１００との接合態様を図８（ａ）に示す通りとし、かつ他方の端部域とパッドホルダー１００との接合態様を図８（ｂ）に示す通りとしても良い。また、第３実施形態においては、環状のパッドホルダー１００の腹側部Ａ及び／又は背側部Ｂに、吸収パッドを固定するために、股部Ｃに延びるように支持シートを橋掛けするように接合配置しても良い。
【００４９】
また、本発明においては、ウエスト領域は存在しなくても良い。例えば、第１実施形態においては、腹側外装体における内層シート２３のＹ方向のウエスト開口縁Ｗ側端縁よりもＹ方向外側の部分に、ウエスト領域が存在している。しかし、例えば、内層シート２３のウエスト開口縁Ｗ側の端縁をウエスト開口縁Ｗにまで延在させて、腹側外装体２Ａのうち吸収性本体３のＹ方向の端縁３ＷよりＹ方向外側の部分全てを「上腹部領域」とし、「ウエスト領域」を有しないように構成しても良い。
【００５０】
上述した実施形態に関し、本発明は更に以下のパンツ型吸収性物品及びパッドホルダーを開示する。
＜１＞
着用者の腹側に配される腹側外装体と、着用者の背側に配される背側外装体と、該腹側外装体と該背側外装体との間を架け渡すようにこれらの外装体に固定された吸収性本体とを具備し、該腹側外装体及び該背側外装体の縦方向に沿う両側縁部に該腹側外装体と該背側外装体とを接合して形成されたサイドシール部を有し、これにより構成された環状外装部を備えるパンツ型吸収性物品であって、
前記腹側外装体は、外表面を形成する外層シート及び該外層シートよりも内側に位置する内層シートを有しており、
前記腹側外装体は、上腹部領域及び下腹部領域を有し、該下腹部領域は該上腹部領域よりも股部側に位置しており、
前記上腹部領域においては、前記外層シートと前記内層シートとの間が非接合状態となっており、かつ上腹部弾性部材が横方向に延びて前記内層シートに固定されている、パンツ型吸収性物品。
【００５１】
＜２＞
前記腹側外装体は、ウエスト開口縁側から股部側に向かって順に、ウエスト領域、上腹部領域及び下腹部領域を有している＜１＞に記載のパンツ型吸収性物品。
＜３＞
前記下腹部領域においては、下腹部弾性部材が横方向に延びて前記外層シート又は前記内層シートに固定されている＜１＞又は＜２＞に記載のパンツ型吸収性物品。
＜４＞
前記背側外装体は、外表面を形成する外層シート及び該外層シートよりも内側に位置する内層シートを有しており、
前記背側外装体は、上背部領域及び下背部領域を有し、該下背部領域は該上背部領域よりも股部側に位置しており、
前記上背部領域においては、 前記外層シートと前記内層シートとの間が非接合状態となっており、かつ上背部弾性部材が、横方向に延びて前記内層シートに固定されている＜１＞ないし＜３＞のいずれか１に記載のパンツ型吸収性物品。
＜５＞
前記背側外装体は、ウエスト開口縁側から股部側に向かって順に、ウエスト領域、上背部領域及び下背部領域を有している＜４＞に記載のパンツ型吸収性物品。
＜６＞
前記下背部領域においては、下背部弾性部材が、横方向に延びて前記外層シートに固定されている＜４＞又は＜５＞に記載のパンツ型吸収性物品。
【００５２】
＜７＞
前記吸収性本体は、その外面側において、前記腹側外装体及び前記背側外装体の内面に固定されている＜１＞ないし＜６＞のいずれか１に記載のパンツ型吸収性物品。
＜８＞
前記吸収性本体は、その内面側において、前記腹側外装体及び前記背側外装体の外面に固定されている＜１＞ないし＜６＞のいずれか１に記載のパンツ型吸収性物品。
＜９＞
前記腹側外装体及び前記背側外装体における前記外層シートと前記吸収性本体の表面シートとを対向させ、その状態下に該吸収性本体の縦方向の端縁を跨ぐように連結シートが配置されている＜８＞に記載のパンツ型吸収性物品。
＜１０＞
前記連結シートの縦方向下端縁の近傍位置において該連結シートと前記吸収性本体の裏面シートとを接着剤で接合し、
該連結シートの縦方向上端縁の近傍位置において該連結シートと前記外層シートとを接着剤で接合した＜９＞に記載のパンツ型吸収性物品。
＜１１＞
前記連結シートと前記外層シートとの接合位置は、前記腹側外装体及び前記背側外装体における下背部領域及び下腹部領域である＜１０＞に記載のパンツ型吸収性物品。
【００５３】
＜１２＞
前記腹側外装体及び前記背側外装体の前記外層シートと前記吸収性本体の表面シートとで画定されるポケット部が形成されている＜８＞に記載のパンツ型吸収性物品。
＜１３＞
前記ポケット部内に、両面テープ又は面ファスナを有する＜１２＞に記載のパンツ型吸収性物品。
＜１４＞
前記腹側外装体と前記背側外装体は、縦方向の長さが横方向において均一である＜１＞ないし＜１３＞のいずれか１に記載のパンツ型吸収性物品。
＜１５＞
前記腹側外装体と前記背側外装体のいずれか一方の縦方向長さが、当該外装体の一部において他方の外装体より長くなされている＜１＞ないし＜１３＞のいずれか１に記載のパンツ型吸収性物品。
＜１６＞
前記背側外装体が前記サイドシール部よりも縦方向において股部側へ延出している＜１５＞に記載のパンツ型吸収性物品。
【００５４】
＜１７＞
前記背側外装体及び前記腹側外装体のいずれか一方又は両方において、横方向に関して、前記外層シートを構成するシートと前記内層シートとは同形である＜４＞ないし＜１６＞のいずれか１に記載のパンツ型吸収性物品。
＜１８＞
前記背側外装体及び前記腹側外装体のいずれか一方又は両方において、縦方向に関して、前記外層シートを構成するシートは、前記内層シートの縦方向の端縁から縦方向外方に延出した延出部を有している＜４＞ないし＜１７＞のいずれか１に記載のパンツ型吸収性物品。
＜１９＞
前記吸収性本体の縦方向の端縁を覆う矩形状の補助シートを備えている＜１＞ないし＜１８＞のいずれか１に記載のパンツ型吸収性物品。
＜２０＞
前記補助シートにおける縦方向の一方の端縁は内層シートの縦方向の端縁と同じ位置にある＜１９＞に記載のパンツ型吸収性物品。
＜２１＞
前記外層シートを構成するシートの延出部が、ウエスト開口縁において内面側に折り返されている＜１８＞に記載のパンツ型吸収性物品。
【００５５】
＜２２＞
折り返された前記延出部は、前記内層シートよりも肌当接側に配置されている補助シートの肌当接面を被覆している＜２１＞に記載のパンツ型吸収性物品。
＜２３＞
前記ウエスト領域に横方向に延びて配されたウエスト弾性部材は、前記腹側外装体において前記サイドシール部間の全域にわたっている＜２＞ないし＜２２＞のいずれか１に記載のパンツ型吸収性物品。
＜２４＞
伸長状態における前記上腹部領域において、前記サイドシール部間の前記内層シートが存在する領域の全面積に対する前記外層シートと前記内層シートとが非接合の領域は、８５％以上、特に９０％以上である＜１＞ないし＜２３＞のいずれか１に記載のパンツ型吸収性物品。
＜２５＞
伸長状態における前記上腹部領域において、前記外層シートと前記内層シートとが非接合の領域の縦方向の長さは、前記パンツ型吸収性物品の縦方向の全長の、１％以上、特に２％以上である＜１＞ないし＜２４＞のいずれか１に記載のパンツ型吸収性物品。
＜２６＞
伸長状態における前記上腹部領域において、前記外層シートと前記内層シートとが非接合の領域の縦方向の長さは、前記パンツ型吸収性物品の縦方向の全長の、１２％以下、特に９．５％以下である＜１＞ないし＜２５＞のいずれか１に記載のパンツ型吸収性物品。
【００５６】
＜２７＞
前記上腹部領域は、ウエスト開口部端からレッグ開口部端の間の長さに対して、５％以上、特に１０％以上である＜１＞ないし＜２６＞のいずれか１に記載のパンツ型吸収性物品。
＜２８＞
前記上腹部領域は、ウエスト開口部端からレッグ開口部端の間の長さに対して、７０％以下、特に５０％以下である＜１＞ないし＜２７＞のいずれか１に記載のパンツ型吸収性物品。
＜２９＞
前記下腹部領域においては、前記吸収性本体の縦方向に延びる側縁よりも横方向外方の位置において、前記外層シートと前記内層シートとの間に糸状又は帯状の下腹部弾性部材が配されている＜１＞ないし＜２８＞のいずれか１に記載のパンツ型吸収性物品。
＜３０＞
前記上腹部領域に配される上腹部弾性部材は、４７０ｄｔｅｘ以上、好ましくは６２０ｄｔｅｘ以上、１６７０ｄｔｅｘ以下である＜１＞ないし＜２９＞のいずれか１に記載のパンツ型吸収性物品。
＜３１＞
前記下腹部領域に配される下腹部弾性部材は、３１０ｄｔｅｘ以上、好ましくは４７０ｄｔｅｘ以上、６８０ｄｔｅｘ以下である＜３＞に記載のパンツ型吸収性物品。
【００５７】
＜３２＞
前記上腹部弾性部材よりも前記下腹部弾性部材の方が細く、かつ本数が多い＜３＞又は＜３１＞に記載のパンツ型吸収性物品。
＜３３＞
前記上背部弾性部材よりも前記下背部弾性部材の方が細く、かつ本数が多い＜６＞に記載のパンツ型吸収性物品。
＜３４＞
前記上腹部弾性部材及び前記上背部弾性部材は、前記内層シートと補助シートとの間に配置されている＜４＞ないし＜３３＞のいずれか１に記載のパンツ型吸収性物品。
＜３５＞
前記上腹部領域又は前記上背部領域が、着用者の腸骨稜から上前腸骨棘にかけての部位に当接するように着用される＜４＞ないし＜３４＞のいずれか１に記載のパンツ型吸収性物品。
【００５８】
＜３６＞
着用者の腹側に配される腹側部と、着用者の背側に配される背側部とを具備し、該腹側部及び該背側部の縦方向に沿う両側縁部に、該腹側部と該背側部とを接合して形成されたサイドシール部を有する環状ベルトからなり、
前記腹側部と前記背側部との間を架け渡すように吸収性パッドが固定可能になっているパッドホルダーであって、
前記腹側部と前記背側部は吸収性パッドを取り付けるための取り付け手段が設けられており、
前記腹側部は、外表面を形成する外層シート及び該外層シートよりも内側に位置する内層シートを有しており、
前記腹側部は、上腹部領域及び下腹部領域を有し、該下腹部領域は該上腹部領域よりも下部開口縁側に位置しており、
前記上腹部領域においては、前記外層シートと前記内層シートとの間が非接合状態となっており、かつ上腹部弾性部材が、横方向に延びて前記内層シートに固定されている、パッドホルダー。
【００５９】
＜３７＞
前記腹側部は、上部開口縁側から下部開口縁側に向かって順に、ウエスト領域、上腹部領域及び下腹部領域を有している＜３６＞に記載のパッドホルダー。
＜３８＞
前記下腹部領域においては、下腹部弾性部材が、横方向に延びて前記外層シートに固定されている＜３６＞又は＜３７＞に記載のパッドホルダー。
＜３９＞
前記背側部は、外表面を形成する外層シート及び該外層シートよりも内側に位置する内層シートを有しており、
前記背側部は、上背部領域及び下背部領域を有し、該下背部領域は該上背部領域よりも下部開口縁側に位置しており、
前記上背部領域においては、 前記外層シートと前記内層シートとの間が非接合状態となっており、かつ上背部弾性部材が、横方向に延びて前記内層シートに固定されている＜３６＞ないし＜３８＞のいずれか１に記載のパッドホルダー。
＜４０＞
前記背側部は、ウエスト開口縁側から股部側に向かって順に、ウエスト領域、上背部領域及び下背部領域を有している＜３９＞に記載のパンツ型吸収性物品。
＜４１＞
前記上腹部領域又は前記上背部領域が、着用者の腸骨稜から上前腸骨棘にかけての部位に当接するように着用される＜３９＞又は＜４０＞に記載のパッドホルダー。
【００６０】
＜４２＞
前記パッドホルダーの肌当接面である補助シートの肌当接面側に、吸収性パッドの裏面シートの外面側を取り付けるための取り付け手段が設けられている＜３６＞ないし＜４１＞のいずれか１に記載のパッドホルダー。
＜４３＞
前記パッドホルダーの最外面である前記外層シートの外面側に、吸収性パッドの表面シートの内面側を取り付けるための取り付け手段が設けられている＜３９＞ないし＜４１＞のいずれか１に記載のパッドホルダー。
＜４４＞
前記取り付け手段が、前記腹側部及び前記背側部の下側端縁部近傍の位置に、横方向に延びるように配される＜４２＞又は＜４３＞に記載のパッドホルダー。
＜４５＞
前記取り付け手段は、両面テープ、面ファスナのフック部材又はループ部材である＜４２＞ないし＜４４＞のいずれか１に記載のパッドホルダー。
＜４６＞
前記腹側部と前記背側部のいずれか一方の縦方向長さが、該腹側部又は該背側部の一部において他方より長くなされている＜３６＞ないし＜４５＞のいずれか１に記載のパッドホルダー。
【００６１】
＜４７＞
前記上腹部弾性部材及び前記上背部弾性部材は、前記内層シートと補助シートとの間に配置されている＜３９＞ないし＜４６＞のいずれか１に記載のパッドホルダー。
＜４８＞
前記上腹部弾性部材よりも前記下腹部弾性部材の方が細く、かつ本数が多い＜３８＞に記載のパッドホルダー。
＜４９＞
前記下背部領域においては、下背部弾性部材が、横方向に延びて前記外層シートに固定されており、
前記上背部弾性部材よりも前記下背部弾性部材の方が細く、かつ本数が多い＜３９＞ないし＜４７＞のいずれか１に記載のパッドホルダー。
＜５０＞
伸長状態における前記上腹部領域において、前記サイドシール部間の前記内層シートが存在する領域の全面積に対する前記外層シートと前記内層シートとが非接合の領域は、８５％以上、特に９０％以上である＜３６＞ないし＜４９＞のいずれか１に記載のパッドホルダー。
＜５１＞
伸長状態における前記上腹部領域において、前記外層シートと前記内層シートとが非接合の領域の縦方向の長さは、前記パッドホルダーの縦方向の全長の、３％以上、特に６％以上である＜３６＞ないし＜５０＞のいずれか１に記載のパッドホルダー。
【００６２】
＜５２＞
伸長状態における前記上腹部領域において、前記外層シートと前記内層シートとが非接合の領域の縦方向の長さは、前記パッドホルダーの縦方向の全長の、４０％以下、特に３５％以下である＜３６＞ないし＜５１＞のいずれか１に記載のパッドホルダー。
＜５３＞
前記上腹部領域は、ウエスト開口部端からレッグ開口部端の間の長さに対して、５％以上、特に１０％以上である＜３６＞ないし＜５２＞のいずれか１に記載のパッドホルダー。
＜５４＞
前記上腹部領域は、ウエスト開口部端からレッグ開口部端の間の長さに対して、７０％以下、特に５０％以下である＜３６＞ないし＜５３＞のいずれか１に記載のパッドホルダー。
【符号の説明】
【００６３】
１  パンツ型使い捨ておむつ（パンツ型吸収性物品）
２Ａ  腹側外装体
２Ｂ  背側外装体
１０  環状外装部
２２  外層シート
２２ａ  外層シートを構成するシート
２３  内層シート
２４  補助シート
２５  連結シート
３  吸収性本体
３１  表面シート
３２  裏面シート
３３  吸収体
４  サイドシール部
５１  ウエスト弾性部材
７１  上胴部弾性部材
９１  下胴部弾性部材
１００  パッドホルダー
１０３  吸収性パッド
１３１  表面シート
１３２  裏面シート
１３３  吸収体
Ａ  腹側部
Ｂ  背側部
Ｃ  股部
Ａ１，Ｂ１  ウエスト領域
Ａ２  上腹部領域（上胴部領域）
Ａ３  下腹部領域（下胴部領域）
Ｂ２  上背部領域（上胴部領域）
Ｂ３  下背部領域（下胴部領域）
Ｐ  ポケット部
【図１】
2013198728.tif 000003
【図２】
2013198728.tif 000004
【図３】
2013198728.tif 000005
【図４】
2013198728.tif 000006
【図５】
2013198728.tif 000007
【図６】
2013198728.tif 000008
【図７】
2013198728.tif 000009
【図８】
2013198728.tif 000010
【手続補正書】
【提出日】平成25年2月25日(2013.2.25)
【手続補正１】
【補正対象書類名】明細書
【補正対象項目名】００５１
【補正方法】変更
【補正の内容】
【００５１】
＜２＞
前記腹側外装体は、ウエスト開口縁側から股部側に向かって順に、ウエスト領域、上腹部領域及び下腹部領域を有している＜１＞に記載のパンツ型吸収性物品。
＜３＞
前記下腹部領域においては、下腹部弾性部材が横方向に延びて前記外層シート又は前記内層シートに固定されている＜１＞又は＜２＞に記載のパンツ型吸収性物品。
＜４＞
前記下腹部領域に配される下腹部弾性部材は、３１０ｄｔｅｘ以上、好ましくは４７０ｄｔｅｘ以上、６８０ｄｔｅｘ以下である＜３＞に記載のパンツ型吸収性物品。
＜５＞
前記上腹部弾性部材よりも前記下腹部弾性部材の方が細く、かつ本数が多い＜３＞又は＜４＞に記載のパンツ型吸収性物品。
＜６＞
前記背側外装体は、外表面を形成する外層シート及び該外層シートよりも内側に位置する内層シートを有しており、
前記背側外装体は、上背部領域及び下背部領域を有し、該下背部領域は該上背部領域よりも股部側に位置しており、
前記上背部領域においては、 前記外層シートと前記内層シートとの間が非接合状態となっており、かつ上背部弾性部材が、横方向に延びて前記内層シートに固定されている＜１＞ないし＜５＞のいずれか１に記載のパンツ型吸収性物品。
【手続補正２】
【補正対象書類名】明細書
【補正対象項目名】００５２
【補正方法】変更
【補正の内容】
【００５２】
＜７＞
前記背側外装体は、ウエスト開口縁側から股部側に向かって順に、ウエスト領域、上背部領域及び下背部領域を有している＜１＞ないし＜６＞のいずれか１に記載のパンツ型吸収性物品。
＜８＞
前記下背部領域においては、下背部弾性部材が、横方向に延びて前記外層シートに固定されている＜６＞に記載のパンツ型吸収性物品。
＜９＞
前記上背部弾性部材よりも前記下背部弾性部材の方が細く、かつ本数が多い＜６＞又は＜８＞に記載のパンツ型吸収性物品。
＜１０＞
前記上腹部弾性部材及び前記上背部弾性部材は、前記内層シートと補助シートとの間に配置されている＜６＞、＜８＞又は＜９＞に記載のパンツ型吸収性物品。
＜１１＞
前記上腹部領域又は前記上背部領域が、着用者の腸骨稜から上前腸骨棘にかけての部位に当接するように着用される＜６＞、＜８＞、＜９＞又は＜１０＞に記載のパンツ型吸収性物品。
【手続補正３】
【補正対象書類名】明細書
【補正対象項目名】００５３
【補正方法】変更
【補正の内容】
【００５３】
＜１２＞
前記背側外装体及び前記腹側外装体のいずれか一方又は両方において、横方向に関しては、前記外層シートを構成するシートと前記内層シートとは同形である＜１＞ないし＜１１＞のいずれか１に記載のパンツ型吸収性物品。
＜１３＞
前記背側外装体及び前記腹側外装体のいずれか一方又は両方において、縦方向に関しては、前記外層シートを構成するシートは、前記内層シートの縦方向の端縁から縦方向外方に延出した延出部を有している＜１＞ないし＜１１＞のいずれか１に記載のパンツ型吸収性物品。
＜１４＞
前記吸収性本体の縦方向の端縁を覆う矩形状の補助シートを備えている＜１＞ないし＜１３＞のいずれか１に記載のパンツ型吸収性物品。
＜１５＞
前記補助シートにおける縦方向の一方の端縁は内層シートの縦方向の端縁と同じ位置にある＜１４＞に記載のパンツ型吸収性物品。
＜１６＞
前記外層シートを構成するシートの延出部はウエスト開口縁において内面側に折り返されている＜１５＞に記載のパンツ型吸収性物品。
【手続補正４】
【補正対象書類名】明細書
【補正対象項目名】００５４
【補正方法】変更
【補正の内容】
【００５４】
＜１７＞
折り返された前記延出部は、前記内層シートよりも肌当接側に配置されている補助シートの肌当接面を被覆している＜１６＞に記載のパンツ型吸収性物品。
＜１８＞
前記吸収性本体は、その外面側において、前記腹側外装体及び前記背側外装体の内面に固定されている＜１＞ないし＜１７＞のいずれか１に記載のパンツ型吸収性物品。
＜１９＞
前記吸収性本体は、その内面側において、前記腹側外装体及び前記背側外装体の外面に固定されている＜１＞ないし＜１７＞のいずれか１に記載のパンツ型吸収性物品。
＜２０＞
前記腹側外装体及び前記背側外装体における前記外層シートと前記吸収性本体の表面シートとを対向させ、その状態下に該吸収性本体の縦方向の端縁を跨ぐように連結シートが配置されている＜１９＞に記載のパンツ型吸収性物品。
＜２１＞
前記連結シートの縦方向下端縁の近傍位置において該連結シートと前記吸収性本体の裏面シートとを接着剤で接合し、
該連結シートの縦方向上端縁の近傍位置において該連結シートと前記外層シートとを接着剤で接合した＜２０＞に記載のパンツ型吸収性物品。
【手続補正５】
【補正対象書類名】明細書
【補正対象項目名】００５５
【補正方法】変更
【補正の内容】
【００５５】
＜２２＞
前記連結シートと前記外層シートとの接合位置は、前記腹側外装体及び前記背側外装体における下背部領域及び下腹部領域である＜２１＞に記載のパンツ型吸収性物品。
＜２３＞
前記腹側外装体及び前記背側外装体の前記外層シートと前記吸収性本体の表面シートとで画定されるポケット部が形成されている＜１９＞ないし＜２２＞のいずれか１に記載のパンツ型吸収性物品。
＜２４＞
前記ポケット部内に、両面テープ又は面ファスナを有する＜２３＞に記載のパンツ型吸収性物品。
＜２５＞
前記腹側外装体と前記背側外装体は、縦方向の長さが横方向において均一である＜１＞ないし＜２４＞のいずれか１に記載のパンツ型吸収性物品。
＜２６＞
前記腹側外装体と前記背側外装体のいずれか一方の縦方向長さが、当該外装体の一部において他方の外装体より長くなされている＜１＞ないし＜２４＞のいずれか１に記載のパンツ型吸収性物品。
【手続補正６】
【補正対象書類名】明細書
【補正対象項目名】００５６
【補正方法】変更
【補正の内容】
【００５６】
＜２７＞
前記背側外装体が前記サイドシール部よりも縦方向において股部側へ延出している＜２６＞に記載のパンツ型吸収性物品。
＜２８＞
前記ウエスト領域に横方向に延びて配されたウエスト弾性部材は、前記腹側外装体において前記サイドシール部間の全域にわたっている＜２＞ないし＜２７＞に記載のパンツ型吸収性物品。
＜２９＞
伸長状態における前記上腹部領域において、前記サイドシール部間の前記内層シートが存在する領域の全面積に対する前記外層シートと前記内層シートとが非接合の領域は、８５％以上、特に９０％以上である＜１＞ないし＜２８＞のいずれか１に記載のパンツ型吸収性物品。
＜３０＞
伸長状態における前記上腹部領域において、前記外層シートと前記内層シートとが非接合の領域の縦方向の長さは、前記パンツ型吸収性物品の縦方向の全長の、１％以上、特に２％以上である＜１＞ないし＜２９＞のいずれか１に記載のパンツ型吸収性物品。
＜３１＞
伸長状態における前記上腹部領域において、前記外層シートと前記内層シートとが非接合の領域の縦方向の長さは、前記パンツ型吸収性物品の縦方向の全長の、１２％以下、特に９．５％以下である＜１＞ないし＜３０＞のいずれか１に記載のパンツ型吸収性物品。
【手続補正７】
【補正対象書類名】明細書
【補正対象項目名】００５７
【補正方法】変更
【補正の内容】
【００５７】
＜３２＞
前記上腹部領域は、ウエスト開口部端からレッグ開口部端の間の長さに対して、５％以上、特に１０％以上である＜１＞ないし＜３１＞のいずれか１に記載のパンツ型吸収性物品。
＜３３＞
前記上腹部領域は、ウエスト開口部端からレッグ開口部端の間の長さに対して、７０％以下、特に５０％以下である＜１＞ないし＜３２＞のいずれか１に記載のパンツ型吸収性物品。
＜３４＞
前記下腹部領域においては、前記吸収性本体の縦方向に延びる側縁よりも横方向外方の位置において、前記外層シートと前記内層シートとの間に糸状又は帯状の下腹部弾性部材が配されている＜１＞ないし＜３３＞のいずれか１に記載のパンツ型吸収性物品。
＜３５＞
前記上腹部領域に配される上腹部弾性部材は、４７０ｄｔｅｘ以上、好ましくは６２０ｄｔｅｘ以上、１６７０ｄｔｅｘ以下である＜１＞ないし＜３４＞のいずれか１に記載のパンツ型吸収性物品。
【手続補正８】
【補正対象書類名】明細書
【補正対象項目名】００５９
【補正方法】変更
【補正の内容】
【００５９】
＜３７＞
前記腹側部は、上部開口縁側から下部開口縁側に向かって順に、ウエスト領域、上腹部領域及び下腹部領域を有している＜３６＞に記載のパッドホルダー。
＜３８＞
前記下腹部領域においては、下腹部弾性部材が、横方向に延びて前記外層シートに固定されている＜３６＞又は＜３７＞に記載のパッドホルダー。
＜３９＞
前記上腹部弾性部材よりも前記下腹部弾性部材の方が細く、かつ本数が多い＜３８＞に記載のパッドホルダー。
＜４０＞
前記背側部は、外表面を形成する外層シート及び該外層シートよりも内側に位置する内層シートを有しており、
前記背側部は、上背部領域及び下背部領域を有し、該下背部領域は該上背部領域よりも下部開口縁側に位置しており、
前記上背部領域においては、 前記外層シートと前記内層シートとの間が非接合状態となっており、かつ上背部弾性部材が、横方向に延びて前記内層シートに固定されている＜３６＞ないし＜３９＞のいずれか１に記載のパッドホルダー。
＜４１＞
前記背側部は、ウエスト開口縁側から股部側に向かって順に、ウエスト領域、上背部領域及び下背部領域を有している＜４０＞に記載のパンツ型吸収性物品。
【手続補正９】
【補正対象書類名】明細書
【補正対象項目名】００６０
【補正方法】変更
【補正の内容】
【００６０】
＜４２＞
前記上腹部領域又は前記上背部領域が、着用者の腸骨稜から上前腸骨棘にかけての部位に当接するように着用される＜４０＞又は＜４１＞に記載のパッドホルダー。
＜４３＞
前記上腹部弾性部材及び前記上背部弾性部材は、前記内層シートと補助シートとの間に配置されている＜４０＞ないし＜４２＞のいずれか１に記載のパッドホルダー。
＜４４＞
前記下背部領域においては、下背部弾性部材が、横方向に延びて前記外層シートに固定されており、
前記上背部弾性部材よりも前記下背部弾性部材の方が細く、かつ本数が多い＜３９＞ないし＜４３＞のいずれか１に記載のパッドホルダー。
＜４５＞
前記パッドホルダーの肌当接面である補助シートの肌当接面側に、吸収性パッドの裏面シートの外面側を取り付けるための取り付け手段が設けられている＜３６＞ないし＜４４＞のいずれか１に記載のパッドホルダー。
＜４６＞
前記パッドホルダーの最外面である前記外層シートの外面側に、吸収性パッドの表面シートの内面側を取り付けるための取り付け手段が設けられている＜３６＞ないし＜４４＞のいずれか１に記載のパッドホルダー。
【手続補正１０】
【補正対象書類名】明細書
【補正対象項目名】００６１
【補正方法】変更
【補正の内容】
【００６１】
＜４７＞
前記取り付け手段が、前記腹側部及び前記背側部の下側端縁部近傍の位置に、横方向に延びるように配される＜４５＞又は＜４６＞に記載のパッドホルダー。
＜４８＞
前記取り付け手段は、両面テープ、面ファスナのフック部材又はループ部材である＜４５＞ないし＜４７＞のいずれか１に記載のパッドホルダー。
＜４９＞
前記腹側部と前記背側部のいずれか一方の縦方向長さが、該腹側部又は該背側部の一部において他方より長くなされている＜３６＞ないし＜４８＞のいずれか１に記載のパッドホルダー。
＜５０＞
伸長状態における前記上腹部領域において、前記サイドシール部間の前記内層シートが存在する領域の全面積に対する前記外層シートと前記内層シートとが非接合の領域は、８５％以上、特に９０％以上である＜３６＞ないし＜４９＞のいずれか１に記載のパッドホルダー。
＜５１＞
伸長状態における前記上腹部領域において、前記外層シートと前記内層シートとが非接合の領域の縦方向の長さは、前記パッドホルダーの縦方向の全長の、３％以上、特に６％以上である＜３６＞ないし＜５０＞のいずれか１に記載のパッドホルダー。